(57)【特許請求の範囲】
【請求項１】
第１の光ディスク及びカートリッジケースに収納された第２の光ディスクに記録または再生する装置であって、
装置外部に突出した位置で前記光ディスクのどちらか一方を載置し装置内に搬入するディスクトレイと、
前記ディスクトレイ上面に設けられ、前記第１の光ディスクを載置できその位置を略規制する第１光ディスク用載置部と、
前記ディスクトレイ上面に設けられ、前記第２の光ディスクのカートリッジを載置できその位置を略規制する第２光ディスク用載置部と、
前記第２光ディスク用載置部にカートリッジが載置された状態を検出する検知手段と、
前記光ディスクを保持し記録または再生する演奏機構部と、
前記検知手段により前記第２の光ディスクのカートリッジが載置された状態が検出されると、前記演奏機構部の状態を前記第１の光ディスクに対応した状態からカートリッジケースに収納された前記第２の光ディスクに対応する状態に切り換える切り換え機構と、
を備え、
前記検知手段は、前記ディスクトレイの動作方向に延伸した形状であってかつ前記カートリッジケース載置の有無に応じて２カ所の位置をとる検知部材と、前記ディスクトレイが装置搬入方向に動作する径路上に設置されたフォトインタラプタと、を有し、前記ディスクトレイが装置搬入方向に動作する時、前記フォトインタラプタによって、前記検知部材による前記フォトインタラプタの間の通過、非通過を検出することで、前記カートリッジの載置、非載置を検出することを特徴とするディスク記録再生装置。
【請求項２】
前記切り換え機構は、前記ディスクトレイが装置搬入方向に動作する時、前記検知部材が前記フォトインタラプタの間を通過することで前記カートリッジが載置された状態が検出されると、その後、前記ディスクトレイの搬入動作が継続している間に、前記切り換え動作が完了することを特徴とする請求項１記載のディスク記録再生装置。
【請求項３】
前記ディスクトレイが装置搬入方向に動作する時、前記ディスクトレイの位置に連動し、前記検知部材の一部が前記フォトインタラプタ間に位置するディスクトレイ位置において動作するスイッチ手段をさらに備える請求項１記載のディスク記録再生装置。
【発明の詳細な説明】
【０００１】
【発明の属する技術分野】
本発明は光ディスクに記録された信号を再生するディスク再生装置、光ディスクに信号を記録でき再生するディスク記録再生装置に関する。
【０００２】
【従来の技術】
従来、特開平６−２９５５１６号公報に示されるような光ディスク再生装置が知られている。
【０００３】
以下、従来例について説明する。
【０００４】
図１６（ａ）に示すように上部の扉２００を上方に開き、ＭＤ（ミニディスク）またはＣＤ（コンパクトディスク）をセットして再生する。図１６（ｂ）は図１６（ａ）の状態でカートリッジホルダー２０１にＭＤ２０２をセットして前記扉２００を閉じた再生状態を表しており、図１６（ａ）に仮想線で示すカートリッジホルダー２０１の位置における断面を表している。
【０００５】
この図１６（ｂ）の状態では、カートリッジホルダー２０１のディスク２０４にスピンドルモータ２０３が連結して回転駆動され、ピックアップ２０５がディスク２０４の読み取りを実行している。
【０００６】
ＣＤ２０６の場合には、図１６（ａ）の状態においてカートリッジホルダー２０１の上面に取り付けられているターンテーブル２０７にＣＤをユーザがセットして扉２００を閉じると、この場合には、図１６（ｃ）に示すようにスピンドルモータ２０３がターンテーブル２０７に連結してピックアップ２０５がＣＤ２０６の読み取りを実行している。
【０００７】
なお、以下の説明で登場する記録媒体は、１２ｃｍＣＤ、８ｃｍＣＤ、ＭＤカートリッジであって、その形状は図１７〜図１９に示すようになっている。
【０００８】
図１７（ａ）（ｂ）に１２ｃｍＣＤ３と８ｃｍＣＤ４を示す。共に中央にセンタ孔５を有する。センタ孔５の直径は１５ｍｍである。
【０００９】
図１８にＭＤカートリッジ１を示す。その内部に外径６４ｍｍの光ディスク２が収納されている。このＭＤカートリッジ１を下面から見た図が図１９である。光ピックアップが光ディスク２にアクセスするための開口８０（点線で示す）は、スライドするシャッタ１０に覆われており、記録再生時にシャッタ１０を移動させ、開口８０が現れる構造である。開口７は光ディスク２のセンタをターンテーブルに載置するための開口である。ＭＤカートリッジ１を位置決めする際に使用される位置決め孔８、９はカートリッジ内部の光ディスク２の外径外に位置している。ＭＤカートリッジ１の短辺寸法６は６８ｍｍ、長辺寸法は７２ｍｍである。
【００１０】
【発明が解決しようとする課題】
上記従来例で示した装置では、ＣＤ、ＭＤを装置にセットする動作は上面扉を開放して行われる。このトップオープン方式の機構では装置上面に操作スペースを有し、前面操作型のコンパクトな装置を構成できない。
【００１１】
この上面操作型の装置は各種オーディオ機器を積み重ねた構成にする場合、最上部に位置させなければならないという制限を有する。
【００１２】
本発明は、装置前面に突出しＣＤ、ＭＤを載置し装置内に搬入するディスクトレイを有したフロントローディング方式の装置とすることで、前面操作型となり、装置の積み重ねが可能であり、また、上方に操作スペースを有しない薄型の装置を構成できる。
【００１３】
また、本発明は、前面操作型のフロントローディング方式の装置であって、ＣＤとＭＤを共に演奏可能とし、再生メディアの違いをユーザにあまり感じさせない利便性の高いディスク記録再生装置を、簡易な機構で実現することを目的としている。
【００１４】
【課題を解決するための手段】
本発明のディスク記録再生装置は、ディスクトレイ上面にＣＤを載せその位置を規制するＣＤ用載置部と、ＭＤカートリッジを載せその位置を規制するＭＤ用載置部とを設け、ディスクトレイが装置外部に突出した位置においてＣＤ及びＭＤのどちらか一方を載置し装置内に搬入する。
【００１５】
さらに、ＭＤ用載置部にＭＤカートリッジが載置された状態を検出する検知手段を有し、この検知手段によりＭＤカートリッジが載置された状態を検出したとき、演奏機構部の状態をＣＤに対応した状態からＭＤカートリッジに対応する状態に切り換える切り換え機構を設置した。ＭＤ用載置部にＭＤカートリッジが載置された状態を検出する前記検知手段は、ＭＤカートリッジの有無に応じて２カ所の位置をとる検知レバーと、ディスクトレイが装置搬入方向に動作する径路上に設置されたフォトインタラプタと、から構成した。ディスクトレイが装置搬入方向に動作する時に、フォトインタラプタによって、前記検知部材によるフォトインタラプタの間の通過、非通過を検出することで、前記カートリッジの載置、非載置を検出するようにした。
【００１６】
この構成により、装置前面で出入り可能なディスクトレイにＣＤ、ＭＤどちらか一方を載置でき、装置内に搬入可能とした。その上で、搬入途中、検知レバーがフォトインタラプタを通過した時点でＭＤ用載置部にＭＤが載置された状態を検出でき、搬入完了前に演奏機構部の状態をＣＤに対応した状態からＭＤカートリッジに対応する状態に切り換えることができ、搬入完了時即座にＭＤを演奏機構部で保持し演奏できる。
【００１７】
前面操作型のフロントローディング方式の装置であって、ＣＤとＭＤを共に速やかに演奏可能とし、再生メディアの違いをユーザにあまり感じさせない利便性の高いディスク記録再生装置を、簡易な機構で実現した。
【００１８】
【発明の実施の形態】
本発明の請求項１記載のディスク記録再生装置は、ＣＤ及びカートリッジケースに収納されたＭＤに記録または再生する装置であって、装置外部に突出した位置において前記光ディスクのどちらか一方を載置し装置内に搬入するディスクトレイ、前記ディスクトレイ上面に設けＣＤを載置できその位置を略規制するＣＤ用載置部と、前記ディスクトレイ上面に設けＭＤカートリッジを載置できその位置を略規制するＭＤ用載置部と、ＭＤ用載置部にＭＤカートリッジが載置された状態を検出する検知手段と、前記ディスクを保持し記録または再生する演奏機構部と、前記検知手段によりＭＤカートリッジが載置された状態を検出し、前記演奏機構部の状態をＣＤに対応した状態からＭＤカートリッジに対応する状態に切り換える切り換え機構と、を設けたことを特徴とする。
【００１９】
本発明の請求項３記載のディスク記録再生装置は、前記演奏機構部の状態を前記ＣＤに対応した状態からＭＤカートリッジに対応する状態に切り換える切り換え機構が、前記ディスクトレイが装置搬入方向に動作する時に、前記カートリッジケース有状態において、前記検知部材が前記フォトインタラプタの間を通過し信号が検出された後、前記ディスクトレイの搬入動作が継続している間に、切り換え動作を完了することを特徴とする。
【００２０】
以下、本発明を例を用いて説明する。図１は本発明の装置の実施例を上方から見た図であり、模式的に示す。ＣＤを上方から固定するクランパ８７周辺を省いた図である。図２は同様に側方（図１矢印７０方向）から見た機構配置図であり、模式的に示す。
【００２１】
図１に示す状態ではディスクトレイ１１が装置のケース８１より装置外部に突出している。この状態でＭＤカートリッジ１や、１２ｃｍＣＤ３、８ｃｍＣＤ４のどれか一つをディスクトレイ１１の各ディスク載置部に載置する。
【００２２】
図１中、一点鎖線でＭＤカートリッジ１、１２ｃｍＣＤ３、８ｃｍＣＤ４の載置位置を示す。ディスクトレイ１１には、１２ｃｍＣＤ載置部１３と８ｃｍＣＤ載置部１４、さらに略四角形状のＭＤカートリッジ載置部１５が形成されている。
【００２３】
図１において、ディスクトレイ１１の開口１６は演奏位置の光デッキ２５上にディスクトレイ１１が移動した際に光ピックアップ２０がディスクにアクセスするための開口である。突出した位置にあるディスクトレイ１１はディスクトレイ駆動機構８３に駆動され装置外から装置内へ移動する。図１では、ディスクトレイ駆動機構８３の内、そのディスクトレイ駆動歯車８４のみを示す。駆動モータ１８０は、ディスクトレイ駆動機構８３を駆動する駆動モータである。ディスクトレイ１１には長手方向にディスクトレイ駆動歯車８４と噛み合うラック１８１が図２に示されるように形成されている。
【００２４】
ディスクトレイ１１の裏面に取り付けられている検知レバー５０はその支点５１でディスクトレイ１１に対し上下方向に回動可能に軸支されている。支点５１の中心軸線は、ディスクトレイ１１のディスク載置面と平行である。検知レバー５０の一部５２が開口５３よりディスクトレイ１１上面に露出しており、ＭＤカートリッジ１が載置された際にＭＤカートリッジ１の一部に接触する構成である。
【００２５】
図３に図１矢印７１から見た検知レバー５０の配置図を示す。断面的に見た図である。検知レバー５０の一端５４は重りをなしており、自由状態で支点５１を介して一部５２が開口５３より突出した位置になる。検知レバーの他の端部５５も同様に重り５４により自由状態で上に位置した状態になっている。図４にＭＤカートリッジ１をディスクトレイ１１に載置したときの検知レバー５０の状態を示す。図４は、ユーザのディスクトレイ閉成指示によりディスクトレイ１１が装置内に移動を開始し、３０ｍｍ進行した状態である。ディスクトレイ１１にＭＤカートリッジ１が載置されるとＭＤカートリッジ１の重量により、検知レバー５０の一部５２は、ＭＤカートリッジ１に押し下げられ、降下位置になり、同様に端部５５も降下位置になる。
【００２６】
図３の状態、即ち、ＭＤカートリッジ１を載置しない状態では、検知レバー５０の端部５５は上方にあり、フォトインタラプタ５６の上方を通過する。ディスクトレイ１１が閉成動作を行う際にフォトインタラプタ内を端部５５は通過せず、信号は発生しない。
【００２７】
一方、図４、即ち、ＭＤカートリッジ１を載置した状態では、検知レバー５０の端部５５は降下状態であり、端部５５がフォトインタラプタ５６の内部を通過し、フォトインタラプタ５６に信号が発生する。図４、ディスクトレイ１１が装置内に３０ｍｍ進行した状態でフォトインタラプタ５６の間に端部５５は位置する。図５（ａ）（ｂ）にフォトインタラプタ５６の単体図（（ａ）は上面図、（ｂ）は側面図）を示す。フォトインタラプタ５６はコの字形状であり、受光素子５７、発光素子５８が対向した形状である。ディスクトレイ１１の移動により、端部５５は、受光素子５７、発光素子５８の間を通過し、その際、発光素子５８〜受光素子５７間を遮断してＭＤカートリッジ１が載置されていることを検出する。
【００２８】
図１、２において、装置内に演奏機構部として光デッキ２５が配される。光デッキ２５には、ＣＤ、ＭＤを回転駆動するディスクモータ２３、信号を読み出す光ピックアップ２０等が搭載されている。ディスクモータ２３の回転軸にはＭＤ用ターンテーブル２２が圧入固定されている。
【００２９】
ＣＤを演奏する場合を述べる。図１、ディスクトレイ１１の１２ｃｍＣＤ載置部１３または８ｃｍＣＤ載置部１４に１２ｃｍＣＤ３ないし８ｃｍＣＤ４をユーザが載置した後、ユーザは、ディスクトレイ１１を装置内に搬入動作させる指示を装置操作部（図示しない）を介して行う。
【００３０】
このとき、図１のように光デッキ２５のＭＤ用ターンテーブル２２上には、ＣＤターンテーブル２４がセットされた状態である。
【００３１】
ＣＤとＭＤはディスクセンタ孔径が１５ｍｍ、１１ｍｍと異なるため、ＣＤとＭＤは適用するターンテーブルのセンタ径が異なる。ＣＤ演奏時のみ使用するＣＤ用のターンテーブル２４は、その内径が１１ｍｍであり、ＭＤ用ターンテーブルのセンタ径１１ｍｍに微少のクリアランスを有して軸心を一致させてセットできる形状である。図６にＣＤターンテーブル２４の単体図（上面図、中央断面図）を示す。ＣＤターンテーブル２４は、ＭＤターンテーブル２２上にのり、一体に回転する。
【００３２】
ディスクトレイ１１上のＣＤ３ないし４は、ディスクトレイ１１の搬入動作によりそのセンタが光デッキ２５上のディスクモータ２３上に一致する位置まで搬送される。図７、図８、図９は、ＣＤ３を搬入し、ディスクトレイ１１が装置内に移動を完了した状態を上方、側方から見た図である。図８は、図７の矢印７３方向から見た図、図９は、図７の矢印７４方向から見た図である。この後、光デッキ２５は図示しない昇降機構９２により垂直に上昇し、そのＣＤターンテーブル２４上にＣＤ３ないし４を載置する。上部に位置するクランパ８７の中央の磁性体部９１が上昇してきたＭＤターンテーブル２２中央の吸着用磁石９０に磁気的に吸着し、ＣＤ３ないし４は、クランパ８７〜ＣＤターンテーブル２４の間に保持される。ＣＤ３ないし４はディスクモータ２３により回転駆動され、光ピックアップ２０等により走査され再生動作が実行される。
【００３３】
ＣＤターンテーブル２４にＣＤ３が保持された状態を図１０に示す。ＣＤ３がＣＤ用ターンテーブル２４に載置された状態では、ディスクトレイ１１とＣＤ３の間に間隔１８３が形成され、ディスクトレイ１１がＣＤ３の回転を阻害することはない。
【００３４】
光デッキ２５上の光ピックアップ２０の下部に、フォトインタラプタ１７０が設置されている。光ピックアップ２０には、フォトインタラプタ１７０に対応した検知板１７１が設けてある。検知板１７１は、フォトインタラプタ１７０の受光発光素子間にあって、その発光受光素子間の光路を遮断する。光ピックアップ２０の移動に対応したフォトインタラプタ１７０の出力信号のパターンを図１１に示す。図１１において、光ピックアップ２０が最もディスクモータ２３に接近した位置（内周位置）がポイント１７６に対応する。光ピックアップ２０がディスク外周方向（図１１では矢印７５方向）に移動し、最外周の位置は、ポイント１７７に対応する。信号の変化する部分１７２は、ＣＤの記録データの最内周位置に略対応する位置になっている。ＣＤを演奏する際、装置制御部は光ピックアップ２０を変化部分１７２より若干内周側の位置１７４を初期位置とし、ＣＤの走査を開始する。
【００３５】
次に、ＭＤを演奏する場合を述べる。図１、ディスクトレイ１１上のＭＤ載置部１５にユーザがＭＤカートリッジ１をセットした後、ユーザの搬入指示により、装置内にＭＤカートリッジ１を載せたディスクトレイ１１はディスクトレイ移動機構８３によりＣＤ３載置の時と同様に移動を開始する。ディスクトレイ１１の凸部１５０がスイッチ１５１をレバー１５２を介して押し下げてＯＮ状態にするディスクトレイ１１の位置は、前述の検知レバー５０の端部５５がフォトインタラプタ５６の受発光素子間に位置する位置である。
【００３６】
装置内へ移動中のディスクトレイ１１の凸部１５０がスイッチ１５１をＯＮ状態にして、その立ち上がり信号を装置制御部（図示しない）が検出すると、装置制御部は、フォトインタラプタ５６の状態を確認する。ＭＤカートリッジ１がディスクトレイ１１に載置されているので、前述の検知レバー５０の端部５５がフォトインタラプタ５６内にあり、受光素子、発光素子間を遮断した状態となっている。装置制御部は、フォトインタラプタ５６の遮断状態を検出し、ＭＤカートリッジ１がディスクトレイ１１上にあることが検知される。装置制御部は、ディスクトレイ１１上にＭＤカートリッジ１が有ることを検出すると、ディスクトレイ１１の装置内への移動を継続しつつ、ＣＤに対応した状態にある光デッキ２５の状態をＭＤに対応した状態に切り換える動作を実行する。具体的には、ＭＤターンテーブル２２上のＣＤターンテーブル２４を装置内で上方に移動退避する。
【００３７】
図６に示すようにＣＤ用ターンテーブル２４は、下方に係合爪８５が突出している。係合爪８５は円周方向に３ヶ所ある。係合爪８５は、ターンテーブルホルダ１６０の円形の開口の周縁部８６に係合している。その係合状態の３面図を図１２にターンテーブルホルダ１６０，ＣＤ用ターンテーブル２４のみ抜き出して示す。従って、ＣＤ用ターンテーブル２４はターンテーブルホルダ１６０から上方に外れることはなく、かつ、係合爪８５が円周方向には障害とはならないので、ＣＤ用ターンテーブル２４はターンテーブルホルダ１６０に対し回転自在である。ＣＤ演奏時（ＭＤターンテーブル２２上にＣＤターンテーブル２４がセットされた時）に、係合爪８５とターンテーブルホルダ１６０が回転時接触することがないように、周縁部８６と係合爪８５の間隔を設定している。ターンテーブルホルダ１６０は光デッキ２５に回転軸１６１により軸支されている。軸支された軸１６１の方向はディスクトレイ１１の進退方向と平行である。
【００３８】
装置制御部は、図示しない駆動機構を介して、ターンテーブルホルダ１６０を回転軸１６１を中心に回転させ、その保持しているＣＤターンテーブル２４をＭＤターンテーブル２２から離脱させ、上方に持ち上げる。ＣＤターンテーブル２４はＭＤターンテーブル２２上から離脱し、上方に退避した状態となる。その状態を図１４に示す。図１３は、ディスクトレイ１１がＭＤカートリッジ１を載置して装置内に搬入を完了した状態を平面的にみた図である。図１４は、図１３の状態を矢印７６方向から見た図であり、図１５は、図１３矢印７７方向から模式的に見た図である。
【００３９】
ＣＤターンテーブル２４は、ＭＤカートリッジ１の上に位置し、さらに上部にクランパ８７がＣＤターンテーブル２４に押し上げられた形で位置する。このＣＤターンテーブル２４を退避させる動作は、ディスクトレイ１１の移動と時間的に平行して行われ、かつ、ディスクトレイ１１上のＭＤカートリッジ１の辺１６２がＣＤターンテーブル２４の位置に達する前に完了する。検知レバー５０の形状をディスクトレイ１１の動作方向に延伸した形状としたことにより、ＭＤカートリッジ１の載置検知を早期に行えるので、装置内へ搬入するディスクトレイ１１の動作を停止させずに、かつ、ＭＤカートリッジ１及びディスクトレイ１１と干渉することなくＣＤターンテーブル２４の退避動作が完了し、ディスクトレイ１１停止などの余分な時間がかからない。
【００４０】
ディスクトレイ１１の装置内への搬入行程１２５ｍｍの動作において、３０ｍｍ移動してＭＤ載置を検知し切り換え動作を開始し、７２ｍｍの移動で切り換えを完了、１２５ｍｍ移動で搬入行程を完了する。この後、ＭＤカートリッジ１のディスクセンタがディスクモータ２３の位置にほぼ一致する位置までディスクトレイ１１が移動し、その後、ＣＤ時と同様に図示しない昇降機構９２により光デッキ２５が垂直に上昇し、ＭＤターンテーブル２２上にＭＤカートリッジ１内のＭＤディスク２が磁気的に吸着し保持される。ＭＤターンテーブル２２の中央の吸着用磁石９０がＭＤディスク２中央の磁性板１８５に吸着する。ターンテーブルホルダ１６０の腕部１６５は、回転軸１６１から傾斜した状態で、ディスクトレイ１１の凹状の切り欠き部１６６に納まった形態である。
【００４１】
別途詳述しないシャッタ開閉機構によりＭＤカートリッジ１のシャッタ１０が開けられ、光ピックアップ２０がＭＤディスク２を走査可能となる。ＣＤと同様、ディスクモータ２３が回転し、光ピックアップ２０等により再生動作が実行される。
【００４２】
図１１、信号の変化する部分１７３は、ＭＤの記録データの最内周位置に略対応する位置になっている。装置制御部は光ピックアップ２０を変化部分１７３より若干内周側の位置１７５を初期位置とし、ＭＤの走査を開始する。図１１において、１７８の位置は、光ピックアップ２０がＭＤの記録データの最外周位置に位置するときの位置である。図１１においてＭＤディスクを走査するときの光ピックアップ２０の移動範囲は、点１７５から点１７８の間である。
【００４３】
以上から、請求項１に記載した発明の効果として、ディスクトレイによりフロントローディングを可能としつつ、ディスクトレイ１１に載置したＭＤカートリッジ１の検出手段を有したことで、ディスクトレイの搬入動作に時間的に平行して演奏機構部をＣＤ対応状態からＭＤ対応状態に切り換えることができ、ディスク種別に関わらずディスクトレイの搬入動作完了後速やかに演奏が可能になる。また、従来例と異なり、ＣＤもＭＤもユーザは同一操作で演奏が可能である。
【００４４】
また、請求項２、６に記載した発明の効果として、ＭＤ載置状態の検知手段は検知レバー５０をディスクトレイ１１の動作方向に延伸した形状とし、かつディスクトレイ１１が装置搬入方向に動作する径路上にフォトインタラプタ５６を設置したので、ディスクトレイ１１が装置外に十分突出した位置でＭＤカートリッジ載置状態を検出できる。従って、ＭＤカートリッジ１が光デッキ２５上に達するより前、十分の動作余裕を有してＣＤ対応状態からＭＤ対応状態にターンテーブルを切り換えることができ、ディスクトレイ１１の動作に時間的に平行して切り換え動作が実行でき、速やかなＭＤ演奏を可能とする。また、ディスクトレイが納まりきる以前に切り換え動作が実行できることで、ＣＤターンテーブル２４が上方に退避する際に、ディスクトレイ、ＭＤカートリッジと干渉せずに済むので、ターンテーブルホルダ１６０が上方に回動するだけの簡単な退避機構を実現でき、安価、確実である。
【００４５】
本発明と異なって、ディスクトレイ１１上のＭＤカートリッジ１が光デッキ２５上方に達した後にＭＤターンテーブル２２上のＣＤターンテーブル２４を退避させるには、ＭＤターンテーブル２２から上方に離脱させた後、平面方向に移動して退避する複雑な退避機構が必要となる。
【００４６】
また、検知手段のフォトインタラプタ５６をディスクトレイ１１上ではなく、ディスクトレイ動作経路の装置上に設置したことで、フォトインタラプタ５６に対する電気配線を移動する部材であるディスクトレイ１１上に設けずにすみ、電気配線が簡略にできるという効果を有し、確実、安価、組み立てやすい装置となる。
【００４７】
また、請求項３に記載した発明の効果として、光デッキ２５の状態をＣＤに対応した状態からＭＤカートリッジに対応する状態に切り換える切り換え機構の動作を、検知レバー５０がフォトインタラプタ５６の間を通過し信号が検出された後、前記ディスクトレイ１１の搬入動作が継続している間に、切り換え動作を完了させたので、ディスクトレイが搬入終了後に切り換えることに比較し速やかなＭＤ演奏開始を行うことができる。
【００４８】
また、請求項４記載の発明の効果として、ＭＤ載置状態の検出をディスクトレイ１１の位置に連動し検知レバー５０がフォトインタラプタ５６間に位置するディスクトレイ位置において動作するスイッチ１６０を設けて、スイッチ１６０のオンするタイミングで、フォトインタラプタ５６信号を確認するようにしたので、外部振動等不測の影響による検知レバー５０の異常動作によるＭＤ誤検出という事態の発生確率を減少させることができ、装置の動作の確実性が増す。
【００４９】
また、請求項５記載の発明の効果として、光ピックアップ２０の動作初期位置を判断する際、ＣＤとＭＤの記録データの最内周位置は異なるが、１つのフォトインタラプタで２つの位置（変化部分１７２，１７３）を検出でき簡単、安価である。また、ＭＤを演奏する際には、ＣＤの最内周位置（図１１，変化部分１７３）をまたいで光ピックアップ２０が走査移動するが、フォトインタラプタ１７０により非接触に変化部分１７３を検出しているので、光ピックアップ２０の走査移動の際にＣＤ内周検出による不要な外乱、負荷変動を与えずに動作させることができ、信号読み取りの安定性を向上する。バネを内蔵したようなスイッチによってＣＤの最内周位置を検出する方式では、ＭＤ演奏時には、ＣＤ最内周位置、変化部分１７３にあたる光ピックアップ２０の位置で、光ピックアップ２０の走査移動に負荷変動、外乱を与えてしまい。信号読み取りエラーの原因となる。フォトインタラプタは、反射型のフォトセンサでも同様の効果を得られる。
【００５０】
また、請求項６記載の発明の効果として、ＣＤ用ターンテーブル２４を回転自在に保持し退避位置とＭＤターンテーブルへのセット位置に移動させるターンテーブルホルダ１６０を、光デッキ２５に直接軸支したので、光デッキ２５上のＭＤターンテーブル２２とターンテーブルホルダ１６０上のＣＤターンテーブル２４の位置関係が、ターンテーブルホルダ１６０の寸法精度のみで決まり、ＣＤターンテーブルのセットする位置を正確にできる。
【００５１】
また、軸支する構造は、孔と軸の寸法精度を良好に加工することが容易であり、軸ガタを少なくでき、精度よい動作を可能にする。さらに、ディスクトレイの移動方向に平行な方向の軸で光デッキ２５に回動可能にターンテーブルホルダ１６０を軸支するとともに、ターンテーブルホルダ１６０が、回転軸を中心に上方に回転移動した際にターンテーブルホルダの一部（腕部１６５）が略納まるようにディスクトレイ１１に切り欠き部１６６を設けたので、ターンテーブルホルダ１６０の装置奥行き方向の部材の大きさを削減でき、光デッキ２５と装置自体の奥行き方向の長さを削減することができる。光デッキ２５の奥行き方向サイズを削減することは、装置のシャーシ１６７のサイズを削減することに効果が大きく、部品コスト削減に効果大である。
【００５２】
【発明の効果】
前面操作型のフロントローディング方式のＭＤ／ＣＤ共用プレーヤを、簡易な機構で安価に実現できる。上面に操作スペースを必要とせず、薄型かつ装置を積み重ねることを可能とする。
【００５３】
同一ディスクトレイ上にどちらの記録媒体でもセットすることを可能とし、ユーザに記録媒体の違いをあまり意識させない利便性の高い装置が得られる。
【００５４】
ディスク種別に関わらずディスクトレイの搬入動作完了後速やかに演奏が可能になる。ＣＤもＭＤもユーザは同一操作で演奏が可能である。
【００５５】
ディスクトレイ１１が装置外に十分突出した位置でＭＤカートリッジ載置状態を検出でき、ＣＤからＭＤへのターンテーブル切り換えが、ディスクトレイ１１の動作に時間的に平行して実行でき、速やかなＭＤ演奏を可能とする。
【００５６】
ＣＤからＭＤへの切り換え機構は、ターンテーブルホルダが上方に回動するだけの簡易、安価、確実な機構にできる。
【００５７】
フォトインタラプタ５６に対する電気配線を移動する部材であるディスクトレイ１１上に設けずにすみ、電気配線が簡略にでき、確実、安価、組み立てやすい装置となる。
【００５８】
外部振動等不測の影響による検知レバー５０の異常動作によるＭＤ誤検出という事態の発生確率を減少させることができ、装置の動作の確実性が増す。
【００５９】
ＣＤとＭＤの記録データの最内周位置を簡単、安価に検出できる。また、ＣＤ演奏時に不要な外乱、負荷変動を与えずに光ピックアップを動作させることができ、信号読み取りの安定性を向上する。
【００６０】
ＣＤからＭＤへの切り換え機構を、正確、寸法精度の良好な機構にでき、精度よい動作を可能にする。
【００６１】
光デッキ２５と装置自体の奥行き方向の長さを削減することができる。
【図面の簡単な説明】
【図１】本発明の実施例のディスク記録再生装置を上方から見た図
【図２】図１のディスク記録再生装置を側方（矢印７０方向）から見た機構配置図
【図３】図１矢印７１方向から見た検知レバー５０の配置図
【図４】ＭＤカートリッジ１をディスクトレイ１１に載置したときの検知レバー５０の状態を示す図
【図５】フォトインタラプタ５６の単体図
【図６】ＣＤターンテーブル２４の単体図
【図７】ＣＤ３を搬入し、ディスクトレイ１１が装置内に移動を完了した状態を示す図
【図８】図７において矢印７３方向から見た図
【図９】図７において矢印７４方向から見た図
【図１０】ＣＤターンテーブル２４にＣＤ３が保持された状態を示す図
【図１１】光ピックアップ２０の移動に対応したフォトインタラプタ１７０の出力信号のパターンを示す図
【図１２】ターンテーブルホルダ１６０，ＣＤ用ターンテーブル２４の３面図
【図１３】ディスクトレイ１１がＭＤカートリッジ１を載置して装置内に搬入を完了した状態を示す図
【図１４】図１３の状態を矢印７６方向から見た図
【図１５】図１３において矢印７７方向から見た図
【図１６】従来のディスク記録再生装置の構成図と要部の断面図
【図１７】１２ｃｍＣＤと８ｃｍＣＤを示す図
【図１８】ＭＤカートリッジ１を示す図
【図１９】ＭＤカートリッジ１を下面から見た図
【符号の説明】
１    ＭＤカートリッジ
２    光ディスク
３    １２ｃｍＣＤ
４    ８ｃｍＣＤ
５    センタ孔
７    開口
８    位置決め孔
９    位置決め孔
１０  シャッタ
１１  ディスクトレイ
１３  １２ｃｍＣＤ載置部
１４  ８ｃｍＣＤ載置部
１５  ＭＤカートリッジ載置部
１６  ディスクトレイの開口
２０  光ピックアップ
２２  ＭＤ用ターンテーブル
２３  ディスクモータ
２４  ＣＤ用ターンテーブル
２５  光デッキ
５０  検知レバー
５１  支点５１
５２  検知レバー５０の一部
５３  開口
５４  重り
５５  検知レバー５０の端部
５６  フォトインタラプタ
５７  受光素子
５８  発光素子
７０  矢印
７１  矢印
７２  矢印
７３  矢印
７４  矢印
７５  矢印
７６  矢印
７７  矢印
８０  開口
８１  装置の外装ケース
８３  ディスクトレイ駆動機構
８４  ディスクトレイ駆動歯車
８５  係合爪
８６  開口の周縁部
８７  クランパ
９０  吸着用磁石
９１  磁性体部
９２  光デッキ昇降機構
１５０  ディスクトレイ１１の凸部
１５１  スイッチ
１５２  レバー
１６０  ターンテーブルホルダ
１６１  回転軸
１６２  ＭＤカートリッジ１の辺
１６５  ターンテーブルホルダ１６０の腕部
１６６  ディスクトレイ１１の凹状の切り欠き部
１６７  シャーシ
１７０  フォトインタラプタ
１７１  検知板
１７２  信号の変化する部分
１７３  信号の変化する部分
１７４  変化部分１７２より若干内周側の位置
１７５  変化部分１７３より若干内周側の位置
１７６  光ピックアップ２０の内周ポイント
１７７  光ピックアップ２０の外周ポイント
１７８  光ピックアップ２０がＭＤの記録データの最外周位置に位置するときの位置
１８０  駆動モータ
１８１  ラック
１８３  間隔
１８５  磁性板
【図１】
0004178695.tif 000002
【図２】
0004178695.tif 000003
【図３】
0004178695.tif 000004
【図４】
0004178695.tif 000005
【図５】
0004178695.tif 000006
【図６】
0004178695.tif 000007
【図７】
0004178695.tif 000008
【図８】
0004178695.tif 000009
【図９】
0004178695.tif 000010
【図１０】
0004178695.tif 000011
【図１１】
0004178695.tif 000012
【図１２】
0004178695.tif 000013
【図１３】
0004178695.tif 000014
【図１４】
0004178695.tif 000015
【図１５】
0004178695.tif 000016
【図１６】
0004178695.tif 000017
【図１７】
0004178695.tif 000018
【図１８】
0004178695.tif 000019
【図１９】
0004178695.tif 000020